(57)【要約】      （修正有）【課題】既存のドレインに新しい改修用のドレインを挿入しても、排水量の低下が起こりにくいドレイン改修構造を提供する。【解決手段】下地１０の排水孔１３に挿入される既存ドレイン３０と、下地を覆う既存防水シート２０とで構成された既存ドレイン構造において、既存ドレインに改修ドレイン５０を挿入し、改修ドレインを既存ドレインに密着して配置し、改修ドレインおよび既存防水シートに接合される改修防水シート４０を備えた改修ドレイン構造。【選択図】図１
2016223230.tif 000002
【特許請求の範囲】
【請求項１】
下地の下地表面部から内側に向けて設けられた排水孔に挿入される既存筒状部と、前記既存筒状部に連続して前記排水孔の下地表面部側の近傍を覆う既存フランジ部とを有する既存ドレインと、
前記下地表面部を覆い、前記既存ドレインの端縁部に接合される既存防水シートと、
前記既存ドレインに密着して配置されるとともに前記既存防水シートと接合される改修ドレインと、
前記改修ドレインおよび前記既存防水シートに接合される改修防水シートとを備え、
前記改修ドレインが前記既存筒状部に挿入される改修筒状部と、前記既存フランジ部を覆う改修フランジ部とを有し、前記改修筒状部と前記改修フランジ部とが軟質樹脂で成形された改修ドレイン構造。
【請求項２】
前記改修筒状部が前記既存筒状部に密着し、前記改修フランジ部が前記既存フランジ部に密着している請求項１に記載の改修ドレイン構造。
【請求項３】
前記改修防水シートの端縁部が前記改修ドレインの前記改修フランジ部の端縁部に重ねて接合されている請求項１または請求項２に記載の改修ドレイン構造。
【請求項４】
前記既存ドレインの表面に凸状部を有し、前記改修ドレインが前記凸状部にはめ込まれるはめ込み部を有する請求項１から請求項３のいずれかに記載の改修ドレイン構造。
【請求項５】
前記改修ドレインが前記既存ドレインにはめ込まれて密着している請求項１から請求項４のいずれかに記載の改修ドレイン構造。
【請求項６】
前記改修ドレインが接合剤を介して前記既存ドレインと接合されている請求項１から請求項５のいずれかに記載の改修ドレイン構造。
【請求項７】
前記改修筒状部が前記既存筒状部より短く設けられている請求項１から請求項６のいずれかに記載の改修ドレイン構造。
【請求項８】
下地の下地表面部から内側に向けて設けられた排水孔に挿入される既存筒状部と、前記既存筒状部に連続して前記排水孔の下地表面部側の近傍を覆う既存フランジ部とを有する既存ドレインと、前記下地表面部を覆い、前記既存ドレインの端縁部に接合される既存防水シートとを有する既存ドレイン構造の改修において、
前記既存筒状部に挿入される改修筒状部と、前記既存フランジ部を覆う改修フランジ部とを有し、前記改修筒状部と前記改修フランジ部とが軟質樹脂で成形された改修ドレインを既存ドレインに挿入し密着させる工程と、
既存防水シートの上に改修防水シートを敷設固定する工程と、
前記改修防水シートと前記改修フランジ部とを接合する工程と、を備える改修ドレイン構造の施工方法。
【発明の詳細な説明】
【技術分野】
【０００１】
本発明は下地に設けられた既存ドレインを水密に改修する改修ドレイン構造に関する。
【背景技術】
【０００２】
建築物の屋上、ベランダ、バルコニー等の下地に防水シートが敷設固定されている場合、一般的に下地に設けられた排水孔に排水管やドレインが取り付けられたドレイン構造が用いられている。
【０００３】
また、防水シートは経時で劣化するために所定時間の経過後に改修施工される。この改修施工の際に、既存の防水シートの上から新規に改修用の防水シートを敷設固定し、既存のドレインには新規に改修用のドレインが挿入され、改修用の防水シートと改修用のドレインが接合され端部をシーリングするなどしてドレイン構造が水密に改修されている。
【０００４】
このような改修用のドレインとして、上部にテーパ状に拡開したフランジを有し、下部が筒状に形成され、その下部外周に旧排水口の内周面に係止される係止突起を備えた本体と、前記本体上に設置され、本体のフランジに当接する鍔部を有し本体に螺着される、防水シートを挟着するための挟持片と、前記挟持片上に設置される、塵芥物を除塵するためのストレーナーと、からなることを特徴とする補修用のルーフドレインがある（特許文献１）。そして、ルーフ面に設置された古くなったドレインにより形成されている旧排水口に、特許文献１に係る補修用のドレインの本体を挿入し、本体外周に設けられた係止突起を旧排水口の内周面に係止させ、本体周囲にモルタルを充填して本体を埋め込み本体の上に挟持片およびストレーナーを取り付けるようになっている改修ドレイン構造が開示されている。
【先行技術文献】
【特許文献】
【０００５】
【特許文献１】実公昭６３−４３３０８号公報
【発明の概要】
【発明が解決しようとする課題】
【０００６】
しかしながら、補修用のドレインを古い既存のドレインに挿入すると、排水孔の内径が小さくなってしまう。このため、雨水等の排水量が少なくなり、雨水等がスムーズに排水されず、排水孔から下地表面に向け雨水等が逆流することが懸念される。特許文献１に係る補修用のドレインでは、ドレイン本体に挟持片が挿入される構造であり排水孔の内径が小さくなる。さらに係止突起が古いドレインとの間に隙間を形成する構造となるため、排水孔の内径がより小さくなり、排水量の低下が懸念される。
【０００７】
そこで、本発明においては既存のドレインに新しい改修用のドレインを挿入しても、排水量の低下が起こりにくいドレイン改修構造を提供することを目的とする。
【課題を解決するための手段】
【０００８】
本発明の上記課題を解決するためにとった手段は以下の通りである。既存ドレインに改修ドレインを挿入し改修ドレインを既存ドレインに密着させることを要旨とする。より具体的には、下地の下地表面部から内側に向けて設けられた排水孔に挿入される既存筒状部と、前記既存筒状部に連続して前記排水孔の下地表面部側の近傍を覆う既存フランジ部とを有する既存ドレインと、前記下地表面部を覆い、前記既存ドレインの端縁部に接合される既存防水シートと、前記既存ドレインに密着して配置されるとともに前記既存防水シートと接合される改修ドレインと、前記改修ドレインおよび前記既存防水シートに接合される改修防水シートとを備え、前記改修ドレインが前記既存筒状部に挿入される改修筒状部と、前記既存フランジ部を覆う改修フランジ部とを有し、前記改修筒状部と前記改修フランジ部とが軟質樹脂で成形された改修ドレイン構造とすることである。
前記改修筒状部が前記既存筒状部に密着し、前記改修フランジ部が前記既存フランジ部に密着している改修ドレイン構造や、前記改修防水シートの端縁部が前記改修ドレインの前記改修フランジ部の端縁部に重ねて接合されている改修ドレイン構造や、前記既存ドレインの表面に凸状部を有し、前記改修ドレインが前記凸状部にはめ込まれるはめ込み部を有する改修ドレイン構造とすることができる。
また、前記改修ドレインが前記既存ドレインにはめ込まれて密着している改修ドレイン構造や、前記改修ドレインが接合剤を介して前記既存ドレインと接合されている改修ドレイン構造、前記改修筒状部が前記既存筒状部より短く設けられている改修ドレイン構造やとすることができる。
下地の下地表面部から内側に向けて設けられた排水孔に挿入される既存筒状部と、前記既存筒状部に連続して前記排水孔の下地表面部側の近傍を覆う既存フランジ部とを有する既存ドレインと、前記下地表面部を覆い、前記既存ドレインの端縁部に接合される既存防水シートとを有する既存ドレイン構造の改修において、前記既存筒状部に挿入される改修筒状部と、前記既存フランジ部を覆う改修フランジ部とを有し、前記改修筒状部と前記改修フランジ部とが軟質樹脂で成形された改修ドレインを既存ドレインに挿入し密着させる工程と、
既存防水シートの上に改修防水シートを敷設固定する工程と、前記改修防水シートと前記改修フランジ部とを接合する工程と、を備える改修ドレイン構造の施工方法を用いることができる。
【発明の効果】
【０００９】
本発明のドレイン改修構造によれば、既存ドレインに改修ドレインを挿入しても、改修ドレインが既存ドレインに密着されているために排水孔の内径が小さくなりにくく、そのため排水量の低下を抑えることができる。
【図面の簡単な説明】
【００１０】
【図１】本発明の実施形態に係る断面図である。
【図２】本発明の改修ドレインに係る断面図である。
【図３】本発明の実施形態に係る断面図である。
【図４】本発明の実施形態に係る断面図である。
【図５】本発明の実施形態に係る断面図である。
【図６】本発明の実施形態に係る部分的に拡大した断面図である。
【発明を実施するための形態】
【００１１】
以下、好適実施の態様について図面を参照して詳細に説明する。
本発明の実施形態に係る断面図を図１に示した。下地１０には排水孔１３が下地の表面である下地表面部１１から下地の内側に向けて設けられている。そして、既存ドレイン構造として、排水孔１３に既存ドレイン３０が挿入され下地表面部１１を覆うように既存防水シート２０が下地表面部１１に固定されている。そして、この既存ドレイン構造の改修として既存ドレイン３０には改修ドレイン５０が挿入され、既存防水シート２０の上に改修防水シート４０が敷設され、改修防水シート４０の端縁部と改修ドレイン５０とが接合されている。
【００１２】
既存ドレイン３０は、既存筒状部３１とこれに連続して設けられた既存フランジ部３２とで構成されている。既存筒状部３１は下地１０の排水孔１３に挿入され、既存フランジ部３２は排水孔１３の上側すなわち、排水孔１３の下地表面部１１近傍１２を覆うように配置されている。既存フランジ部３２は下地表面部１１から排水孔１３へかけての傾斜した部分を覆い、排水孔から下地表面部１１に向けて広がった形状となっている。
また既存ドレインは鋳物、アルミ等の金属製、硬質ポリ塩化ビニル系樹脂製等で構成することができる。
【００１３】
既存防水シート２０は排水孔１３の周囲を除き下地表面部１１に敷設され、既存防水シート２０の端縁部が既存ドレイン３０の既存フランジ部３２の端縁部と接合されている。
【００１４】
既存防水シート２０と下地１との接合は、接着剤を用いた接着工法でも、金属板等の固定具をビスで下地に固定し、この固定具によって既存防水シート２０を固定する機械的固定工法を用いてもよい。図１の本実施形態では接着工法を用いて接合を行っている（接着剤は図示なし）。
【００１５】
改修ドレイン５０は既存ドレイン３０に挿入され密着して配置されている。また、図２の様に改修ドレインは改修筒状部５１と改修フランジ部５２を有しており、改修筒状部５１は既存筒状部３１に挿入され、改修フランジ部５２は既存フランジ部３２を覆うように構成されている。このように改修ドレイン５０が既存ドレイン３０と密着することで、排水孔１３の内径が小さくなるのを最小限にととどめ、排水孔１３が小さくなることによる排水量の低下を抑えることができる。
【００１６】
改修ドレイン５０は軟質樹脂製であって、本実施形態では改修筒状部５１と改修フランジ部５２とが一体的に成形されている。さらに改修ドレイン５０は既存ドレイン３０の内側の形状に沿って形成されており、改修ドレイン５０を既存ドレイン３０に挿入すると改修ドレイン５０が既存ドレイン３０に密着する。
【００１７】
ここで、改修ドレイン５０は改修筒状部５１および改修フランジ部５２において既存筒状部３１および既存フランジ部３２に密着している。既存ドレイン３０、改修ドレイン５０は筒状部（既存筒状部３１、改修筒状部５１）からフランジ部（既存フランジ部３２、改修フランジ部５２）に向けて広がった形状となっている。図６に示すように改修筒状部５１の内径ｒ３は既存筒状部３１の内径ｒ２よりも小さくなるが、改修筒状部５１が既存筒状部３１に密着しているために内径ｒ３が小さくなるのを最小限に止めることができる。また改修フランジ部５２の内径ｒ４は既存筒状部３１の内径ｒ２と同等以上であるため、改修フランジ部５２を既存フランジ部３２に密着させなくても排水量の低下は起きにくい。しかし、改修フランジ部５２を既存フランジ部３２に密着させることで、排水が逆流した際に下地１内側に漏水する危険を低減できるために好ましい。図１においては改修フランジ部５２と改修防水シート４０の接合部から漏水した場合、侵入した水が改修フランジ部５２と既存フランジ部３２の界面から下地１内側に侵入することを防ぐことができる。
【００１８】
ここで図３のように、既存ドレイン３０の下地側を外側とした際の排水が流れる内側に、凸状部３３が設けられている場合がある。この凸状部３３は既存ドレインを補強するためのリブである凸状部３３ａや図示しないがストレーナーを固定するための接合部といったものがある。この凸状部３３に対応させて改修ドレイン５０を成形することで、凸状部３３により改修ドレイン５０が既存ドレイン３０から浮いてしまうのを防止し、改修ドレイン５０を既存ドレイン３０に密着することができる。
【００１９】
図３においては、既存ドレイン３０の既存筒状部３１の内側に凸状部３３ａが有り、改修筒状部５１はそれに対応して密着されている。本実施形態では改修筒状部５１の凸状部３３ａと対応する位置にはめ込み部５３（５３ａ）を有し、改修筒状部５１を既存筒状部３１に挿入する際にはめ込み部５３ａに凸状部３３ａがはめ込まれている。これにより、既存筒状部３１に凸状部３３ａがあっても改修筒状部５１が密着して配置され、改修筒状部５１が既存筒状部３１から浮いて改修筒状部５１の内径が小さくなることが防止される。
【００２０】
ここで、改修ドレイン５０は軟質樹脂で成形されているため、改修ドレイン５０が凸状部３３に対応して変形することも可能であるため、はめ込み部５３を設けなくてよい。特に凸状部３３が小さくはめ込み部５３を設けなくても改修ドレイン５０の既存ドレイン３０からの浮きが小さい場合にははめ込み部５３を設けなくてもよい。
【００２１】
また、凸状部３３が既存ドレイン３０の既存フランジ部３２に設けられている場合には改修筒状部５１の内径が小さくならなければ、はめ込み部５３を設けなくてもよい。特に既存フランジ部３２にストレーナーを設けるために接続部を有し、この接続部を使用して改修後もストレーナーを設置しない場合、改修筒状部５１の内径が小さくならなければ、はめ込み部５３を設けなくてもよい。
【００２２】
一方、凸状部３３が既存フランジ部３２に設けられ、改修筒状部５１の内径が小さくならない場合にあっても、はめ込み部５３を設けてもよい。これにより、既存フランジ部３２の凸状部３３が改修フランジ部５２のはめ込み部５３にはめ込まれることで、既存フランジ部３２に改修フランジ部５２が密着し、排水の逆流等による漏水を防止することができるために好ましい。特に、凸状部３３が既存フランジ部３２の端縁部にあり、既存フランジ部３２に改修フランジ部５２を重ねた際の浮きが既存フランジ部３２と改修フランジ部５２の端縁部にできる場合にはこの浮きによる漏水を防止するためにはめ込み部５３を設けることが好ましい。
【００２３】
図１では改修筒状部５１の長さは既存筒状部３１とほぼ同等となっているが、図４のように既存筒状部３１より改修筒状部５１が長くなっていてもよい。これにより、既存ドレイン３０と排水管６０とのつなぎ目からの漏水を防止しやすくなるため好ましい。
また、図５のように改修筒状部５１が既存筒状部３１より短くてもよい。これにより改修筒状部５１よりも下側すなわち排水管６０側は既存筒状部３１が現れているため、改修筒状部５１よりも下側では改修後の排水孔の内径は既存筒状部３１の内径まで広がるため排水量が大きくなり好ましい。排水量が大きくなることで排水が排水孔１３から逆流する危険性が低くなる。
【００２４】
さらに、既存ドレイン３０は排水孔１３から下地表面部１１に向けて内径が広がっているため、改修筒状部５１をより短くすることで、改修筒状部５１の内径もより大きくなり排水量が大きくなる。また、改修筒状部５１の長さを既存ドレイン３０の内径がよりも広い位置までの長さとすることで改修後の排水孔１３の内径が改修前の既存筒状部３１の内径とほぼ同じとなる。そのため、改修前後も排水量が大きく変わらず排水が逆流する可能性が低くなる。
【００２５】
改修ドレイン５０は既存ドレイン３０に密着しているが、改修ドレイン５０が既存ドレイン３０にはめ込まれるように構成されていることが好ましい。改修ドレイン５０は軟質樹脂で成形されているため、柔軟性があり既存ドレイン３０と密着性が向上する。ここで、改修ドレイン５０と既存ドレイン３０との密着は、排水孔１３の内径をより大きくし、下地１内部への漏水を防止する効果がある。そのため、改修ドレイン５０と既存ドレイン３０とのすき間がないように配置されることが好ましく、改修ドレイン５０の形状を既存ドレイン３０の形状に対応させることが好ましい。したがって、改修ドレイン５０が既存ドレイン３０にはめ込まれるように構成する場合、改修ドレイン５０の全体が既存ドレイン３０にはめ込まれることが好ましい。
【００２６】
改修ドレイン５０の軟質樹脂は、柔軟性があり改修ドレイン５０を既存ドレイン３０に挿入する際に改修ドレイン５０が既存ドレイン３０に密着できる硬さであればよい。たとえば、軟質ポリ塩化ビニル系樹脂、軟質ポリエチレン系樹脂等の軟質ポリオレフィン系樹脂、軟質アクリル系樹脂、ＮＢＲやＳＢＲ等のゴム等を用いることができる。中でも軟質ポリ塩化ビニル系樹脂は柔軟性を調整でき、既存防水シート２０、改修防水シート４０をポリ塩化ビニル系樹脂製とする場合において、改修ドレイン５０とこれらを熱融着、溶剤溶着できるために好ましい。
さらに、軟質ポリ塩化ビニル系樹脂の改修ドレイン５０は、既存ドレインを型にたディッピング成形や射出成形等によって得ることができる。
【００２７】
改修ドレイン５０の改修筒状部５１と改修フランジ部５２とは同じ軟質樹脂としてもよいし別の軟質樹脂としてもよい。また、改修ドレイン５０の改修筒状部５１と改修フランジ部５２とは一体的に成形されていることが好ましい。一体的に成形されることで、改修筒状部５１と改修フランジ部５２とのつなぎ目がなく、改修筒状部５１と改修フランジ部５２での漏水の危険性がなくなり好ましい。
【００２８】
図１では改修ドレイン部５２は既存防水シート２０と重ねられるので、改修ドレイン５０の改修ドレイン部５２の形状は既存防水シート２０の厚みに対応して形成することが好ましい。これにより、改修ドレイン部５２はより安定して既存フランジ部３２と密着される。
【００２９】
改修ドレイン５０と既存ドレイン３０とを密着させる際に、改修ドレイン５０と既存ドレイン３０とを接合剤を介して接合してもよい。これにより、より強固に密着するために好ましい。接合剤は改修ドレイン５０の全体に使用してもよいし一部に使用してもよい。また、改修筒状部５１と改修フランジ５２のいずれかに接合剤を使用してもよい。改修筒状部５１に接合剤を用いると改修筒状部５１を既存筒状部３１に充分に密着することができ、改修筒状部５１が既存筒状部３１から浮いてしまうことを防止できるため好ましい。改修フランジ部５２に接合剤を用いると改修フランジ部５２を既存フランジ部３２に充分に密着することができ、改修フランジ部５２の周辺からの水の浸入を防止することができる。
【００３０】
接合剤としては、接着剤や、シーリング剤、粘着剤、粘着テープ、シーラー等を用いることができる。
【００３１】
改修防水シート４０は既存防水シート２０の上に敷設固定され、改修防水シート４０の端縁部が改修フランジ部５２の端縁部を覆い接合されている。
【００３２】
既存防水シート２０と改修防水シート４０との接合は、接着工法でも機械的固定工法でもよい。図１の本実施形態では接着工法を用いて接合を行っている（接着剤は図示なし）。また、既存フランジ部３２の端縁部と改修用防水シート４０の端縁部との接合は、接着剤を用いてもよいし、熱融着や溶剤溶着を用いてもよい。なお、改修防水シート４０は既存防水シート２０と同様に排水孔１３の部分を除いて既存防水シート２０と接合されている。
【００３３】
また、改修防水シート４０の端縁部には図１のようにシーラー７０で止水処理をさらに施してもよい。
【００３４】
既存防水シート２０、改修防水シート４０は熱可塑性樹脂製防水シートが好ましく、ポリ塩化ビニル系樹脂、ポリオレフィン系、アクリル系等を使用することができる。さらに、熱可塑性樹脂製防水シートは熱溶融着、溶剤溶着により接合し得るという点からポリ塩化ビニル系樹脂製防水シートがより好ましい。
【００３５】
下地１は特に制限はないが、コンクリート下地等を適用することができる。また、既存ドレイン３０を接地固定する際等にモルタル等を用いてもよい。さらに必要に応じ、断熱材等の断熱層を設けたり、無機板や木質板等を用いてもよい。
既存防水シート２０と改修防水シート４０を機械固定工法で固定する場合には、既存防水シート２０と改修防水シート４０との間に緩衝シートを敷設してもよい。
【００３６】
次に図１の実施形態にかかる既存ドレイン構造を改修する施工方法について説明する。下地１０の排水孔１３には既存ドレイン３０が挿入され、下地表面部１１には排水孔１３を除いて既存防水シート２０が敷設固定され、既存防水シート２０の端縁部が既存フランジ部３２の端縁部と接合されて既存ドレイン構造が設けられている。
この既存ドレイン構造を改修する施工方法は以下のとおりである。既存ドレイン３０にシーリング剤を塗布し、改修ドレイン５０を既存ドレイン３０に挿入する。既存防水シート２０の上に接着剤を塗布し、排水孔１３を除いて改修防水シート４０を既存防水シート２０の上に貼り付けて接合する。そして、改修防水シート４０の端縁部と改修ドレイン５０の端縁部とを接合する。
【００３７】
以下、本発明の実施例を説明する。
図１に実施例１に係る断面図を示した。下地１０の下地表面部１１から内側に向けて排水孔１３が設けられている。排水孔１３の下地表面部１１から見て内側に排水管６０が設置され、排水管６０の上側（下地表面部１１側）に既存ドレインが下地１０に固定されている。既存ドレイン３０は既存筒状部３１が排水孔１３に挿入され、排水孔の下地表面部側の近傍１２を既存フランジ部が覆っている。そして、ポリ塩化ビニル系樹脂製の既存防水シート２０が接着剤により下地表面部１１に敷設固定されている。そして既存防水シート２０の端縁部が既存フランジ部３２の上に端縁部に重ねられ接着剤で接合されている。既存ドレイン３０の全体にシーリング剤が塗布され、改修ドレイン５０が既存ドレイン３０に挿入され、密着し固定されている。改修ドレイン５０は軟質ポリ塩化ビニル系樹脂製であり、既存ドレイン３０を型にしてディッピング成形により得られている。なお、実施例１の改修ドレイン５０は既存ドレイン３０の内側部分に成形された部分を用いている。既存ドレイン３０を型にして成形されているため改修ドレイン５０は既存ドレイン３０と密着して固定される。また、既存防水シート２０の端縁部の上から改修ドレイン５０の改修フランジ部５２の端縁部が重ねられ界面に接着剤を塗布することで、接合固定されている。ここで、既存防水シート２０と改修ドレイン５０はともにポリ塩化ビニル系樹脂製であるので、熱による融着や溶剤溶着による接合を行うこともできる。ポリ塩化ビニル系樹脂製の改修防水シート４０は接着剤を介して既存防水シート２０の上に接合固定されている。改修防水シート４０の端縁部は改修フランジ部５２の端縁部の上に重ねられ熱融着により接合されている。そして、改修防水シート４０の端部はシーラー７０により止水処理されている。さらに図示していないが改修ドレイン５０の上にストレーナーが設置される。
【００３８】
次に実施例１の施工方法について図１を用いて示す。
既存ドレイン構造は以下の様に構成されている。下地１０の下地表面部１１から内側に向けて排水孔１３が設けられている。排水孔１３の下地表面部１１から見て内側に排水管６０が設置され、排水管６０の上側（下地表面部１１側）に既存ドレインが下地１０に固定されている。既存ドレイン３０は既存筒状部３１が排水孔１３に挿入され、排水孔の下地表面部側の近傍１２を既存フランジ部が覆っている。そして、ポリ塩化ビニル系樹脂製の既存防水シート２０が接着剤により下地表面部１１に敷設固定されている。そして既存防水シート２０の端縁部が既存フランジ部３２の上に端縁部に重ねられ接着剤で接合されている。
上記の既存ドレイン構造を改修する施工方法を以下に説明する。既存ドレイン３０の全体にシーリング剤を塗布し、改修ドレイン５０を既存ドレイン３０に挿入し密着させる。既存ドレイン３０の既存筒状部３１および既存フランジ部３２にシーリング剤が塗布されているため改修ドレイン５０は既存ドレイン３０に充分に密着され固定される。さらに、既存防水シート２０の端縁部の上に接着剤を塗布し、その上から改修ドレイン５０の改修フランジ部５２の端縁部が重ねられて接合固定されている。次に、ポリ塩化ビニル系樹脂製の既存防水シート２０の上に接着剤を塗布しポリ塩化ビニル系樹脂製の改修防水シート４０を既存防水シート２０の上に敷設し圧着して固定する。改修防水シート４０の端縁部は改修ドレイン部５２の端縁部と重ね、ライスターを用いて熱融着することで、改修防水シート４０の端縁部と改修ドレイン部５２の端縁部とが接合固定される。そして、改修防水シート４０の端部はシーラー７０により止水処理を行う。
【符号の説明】
【００３９】
１０    下地
１１  下地表面部
１２  排水孔の下地表面部近傍
１３  排水孔
２０    既存防水シート
３０    既存ドレイン
３１  既存筒状部
３２  既存フランジ部
３３  凸状部
４０    改修防水シート
５０    改修ドレイン
５１  改修筒状部
５２  改修フランジ部
５３  はめ込み部
６０    排水管
【図１】
2016223230.tif 000003
【図２】
2016223230.tif 000004
【図３】
2016223230.tif 000005
【図４】
2016223230.tif 000006
【図５】
2016223230.tif 000007
【図６】
2016223230.tif 000008